(57)【要約】【課題】物を挟んで取るのに使用でき、挟んだものが汚れず、且つ使い易いつかみ部材を具備した杖を提供する。【解決手段】本考案にかかる杖１は、上端にグリップ５２を備えた筒状の杖本体２と、該杖本体２に内挿される一対の挟み部３２を連結して成るつかみ部材３とから成り、前記つかみ部材３は、一対の挟み部３２を開放方向にばね付勢されており、該ばね付勢により内挿時に杖本体２の内部に保持されることを特徴とする。本考案の杖１は、つかみ部材３のうち、物を挟む部分である挟み部３２が本体内に収納されているので、挟み部３２が汚れず、つかみ部材３で物を挟んだときに、物が汚れることがない。また、本考案のつかみ部材３は、つかみ部材３を握り込むだけの簡単な操作で使用できる。【選択図】図１
0003117486.tif 000002
【実用新案登録請求の範囲】
【請求項１】
上端にグリップを備えた筒状の杖本体と、該杖本体に内挿される一対の挟み部を連結して成るつかみ部材とから成り、
前記つかみ部材は、一対の挟み部を開放方向にばね付勢されており、該ばね付勢により内挿時に杖本体内に保持されることを特徴とする杖。
【請求項２】
さらに、前記つかみ部材がストッパを、前記杖本体が前記ストッパを受容するストッパ受け穴をそれぞれ備えており、前記ばね付勢によりストッパがストッパ受け穴と着脱可能にスナップイン嵌合することを特徴とする請求項１に記載の杖。
【請求項３】
前記つかみ部材が、後端で連結された二又様であることを特徴とする請求項１又は２に記載の杖。
【請求項４】
さらに、前記杖本体の上端から挿入して固定するグリップ支え軸を含み、該グリップ支え軸の上端に前記グリップを固定することを特徴とする請求項１乃至３のいずれか１項に記載の杖。
【請求項５】
前記つかみ部材が、前記杖本体の内部に嵌まるガイド部を備えていることを特徴とする請求項１乃至４のいずれか１項に記載の杖。
【請求項６】
筒状の杖本体と、
上端にグリップが固定され前記杖本体の上端から挿入されるグリップ支え軸と、
前記杖本体の上端開口に設けられた雌ねじ部材と、前記グリップ支え軸に嵌挿され、前記雌ねじ部材に螺合して縮径し、グリップ支え軸を締め付け固定する雄ねじ部材と、から成るグリップ支え軸固定具と、
前記杖本体の下端から内挿される二又様の挟み部と、該挟み部を開放方向にばね付勢するばね部材と、から成るつかみ部材と、
前記つかみ部材の側面に突出したストッパと、前記杖本体に形成され前記ストッパを受容するストッパ受け穴と、から成るストッパ機構と、を備えており
前記ストッパが、前記ばね部材のばね付勢によりストッパ受け穴と着脱可能にスナップイン嵌合して、これにより、前記つかみ部材を杖本体に内挿状態で保持することを特徴とする杖。
【考案の詳細な説明】
【技術分野】
【０００１】
本考案は、杖に関し、特に、離れた場所にある物を取るのに使用されるつかみ部材を備えた杖に関する。
【背景技術】
【０００２】
高齢化社会といわれる現代において、加齢による歩行困難を感じる人が増加している。特に、下肢の疾患に起因する疼痛等により歩行が困難になった高齢者にとって、杖の必要性が高まっている。また、高齢者の多くは、歩行が困難なだけではなく、膝を屈伸する動作、かがみ込み、ひざまずき等の低姿勢をとる動作、低姿勢から立ち上がる動作なども、同様に困難である。そのため、床に落ちた物を拾うために、又は手の届かないものを取るために、つかみ器具（例えばマジックハンド）を利用している。
【０００３】
歩行困難な高齢者にとって、杖は、必要不可欠で常に手放さない持ち物であるが、つかみ器具は、常備するものではない。そのため、必要になった時に手元になく、不便を感じることがある。このような問題を解決する手段として、つかみ器具の機能を備えた杖が知られている。
つかみ機能付きの杖として、杖につかみ器具の機能を付加した杖兼用のつかみ具が知られている。この杖は、先端に固定くちばしと可動くちばし片を備えており、把手近くのレバーにより可動くちばし片を動かして、固定くちばしとの間に物を挟むことができる。この杖兼用のつかみ具の使用目的は、山野跋渉時に、木の実の拾取や、蛇類の確保、山野草の根切り等を行うことである。
【特許文献１】実用新案登録第３０４９６０７号公報
【０００４】
これとは別に、付加的な機能を備えた杖として、靴ベラを備えた仕込み杖が知られている。この杖は、把手近くの作動レバーを操作すると、杖の下端近傍にばねで格納されていた靴ベラが回転して突出状態になり、杖をついたままの状態で靴ベラとして使用できるものである。また、靴ベラと杖下端部との間に靴を挟むことにより、靴を移動させることもできる。
【特許文献２】実用新案登録第３０９１７９３号公報
【考案の開示】
【考案が解決しようとする課題】
【０００５】
特許文献１の杖兼用のつかみ具は、杖の先端部が物をつかむくちばし部分として機能するので、つかんだ物が泥などで汚れてしまう。また、くちばし部分が舌片状の金属製又はプラスチックで形成されているので、土や砂のように軟らかい地面で杖をつくと、杖の先端部が地面に刺さって安定するが、コンクリートや煉瓦、タイルのような硬質の舗装道路や床では、杖の先端が刺さらないので安定せず、最悪の場合には先端部が地面を滑って転倒する可能性もある。さらに、このつかみ具は、把手近くのレバーで可動くちばし片を操作するのに比較的強い力が必要であるので、握力の低下している高齢者には適さない。可動くちばし片を軽い力で操作できるように、レバーとくちばし片との間にギアを組み込むことも可能であるが、機構が複雑になり、製造コストが増加し、定期的なメンテナンスを必要になる等の新たな問題が発生する。
また、特許文献２の靴ベラ付き仕込み杖は、靴をはく又は脱ぐための機能に限定されており、靴以外の物を取る又は拾うための機能は有していない。
【０００６】
そこで、本考案は、物を挟んで取るのに使用でき、挟んだものが汚れず、且つ使い易いつかみ具付きの杖を提供することを目的とする。
【課題を解決するための手段】
【０００７】
本考案の杖は、上端にグリップを備えた筒状の杖本体と、該杖本体に内挿される一対の挟み部を連結して成るつかみ部材とから成り、前記つかみ部材は、一対の挟み部を開放方向にばね付勢されており、該ばね付勢により内挿時に杖本体内に保持されることを特徴とする。
【考案の効果】
【０００８】
本考案の杖は、つかみ部材のうち、物を挟む部分である挟み部が本体内に収納されているので、挟み部が汚れず、つかみ部材で物を挟んだときに、物が汚れることがない。
【０００９】
また、このつかみ部材は、ばねによって挟み部が開くように付勢されているので、杖本体に挟み部が内挿されている時には、挟み部の外面が杖本体の内壁面に押圧されて、つかみ部材が杖本体に係止する。この係止状態は、ばね付勢によるものであるので、つかみ部材の取り外しは、ばねの付勢力に逆らう方向に力をかけるのみであり、複雑な操作を必要としない。また、杖本体から取り出したつかみ部材は、ばねによって挟み部が開いた状態に維持されるので、物をつかむには、ばねの付勢力に逆らう方向に力をかけるのみである。すなわち、つかみ部材の取出しも、つかみ部材で物を挟むことも、つかみ部材を握ればよく、操作が簡単で、高齢者でも取り扱いやすくなっている。
【考案を実施するための最良の形態】
【００１０】
図１の杖１は、上端５４にグリップ５２を取り付けた筒状の杖本体２と、杖本体２の内部空洞２２に内挿される一対の挟み部３２を連結したつかみ部材３とから成っている。つかみ部材３の連結部分には、ばね部材３５が固定されており、これにより、一対の挟み部３２は、先端３３が開く方向にばね付勢されている。
【００１１】
杖本体２の下端２４は開口しており、そこからつかみ部材３の挟み部３２が杖本体の内部に挿入されている。つかみ部材３の握り部３１の縁にはフランジ３６が形成されており、握り部３１が杖本体の内部に入るのを防止するストッパとして機能している。杖本体２の下端の縁部２６と、フランジ３６とは、略面一に形成されているのが好ましく、ストッパの機能を確実にすると共に、フランジ３６が引っ掛かってつかみ部材が脱落することがない。さらに、フランジ３６は、杖本体２の下端の縁部２６と略一周に渡って接触しているので、杖本体２にかかる荷重をフランジ３６で受けて、安定した支持を実現することができる。
【００１２】
図１のように、つかみ部材３を杖本体２に取り付けると、杖本体２の下端からつかみ部材３の握り部３１が突出する。このように握り部３１が突出していることにより、杖本体２につかみ部材３が取り付けられた状態でも握り部３１が容易に握ることができ、つかみ部材３を杖本体２から取り出しやすい。
【００１３】
つかみ部材３は、ばね部材３５によってばね付勢されて、杖本体２の内壁に係止しているが、その係止状態を補助するストッパ機構をさらに備えているのが好ましい。ストッパ機構としては、つかみ部材３がストッパ４１を、杖本体２がストッパ４１を受容するストッパ受け穴４２をそれぞれ備えており、ばね部材３５のばね付勢によりストッパ４１がストッパ受け穴４２と着脱可能にスナップイン嵌合するのが好ましい。スナップイン嵌合すると、つかみ部材３は、杖本体２の中に内挿状態で安定して保持することができる。
【００１４】
上記のようなストッパ機構は、ばね付勢によって機能しているので、固定状態を解除するには、つかみ部材３を杖本体２から取り外すのと同じ操作、すなわち、ばねの付勢力に逆らう方向に力をかけるのみであり、複雑な操作を必要としない。このストッパ機構は、着脱が容易であるにもかかわらず、つかみ部材３が杖本体２から脱落するのを確実に防止できる。
【００１５】
図１にストッパ４１とストッパ受け穴４２とから成るストッパ機構が図示されており、つかみ部材３の挟み部３２の側面に突出したストッパ４１と、ストッパを受容するために、杖本体２の側壁に貫通形成されたストッパ受け穴４２と、から構成されている。このストッパ機構は、挟み部３２が杖本体２にばね付勢されると、ストッパ４１がストッパ受け穴４２に嵌って、挟み部３２が杖本体２から抜け落ちるのを防止する。
【００１６】
図２に示した筒状体２７から成る杖本体２は、杖本体２の上端から挿入して固定するグリップ支え軸５１と、グリップ支え軸５１の上端に固定されたグリップ５２とを備えている。
グリップ支え軸５１は、杖本体２の上端から内部空洞２２に内挿され、グリップ支え軸固定具２８により杖本体２に固定されている。
【００１７】
杖本体２を構成する筒状体２７の上端開口には、グリップ支え軸固定具２８が取り付けられており、グリップ支え軸５１を筒状体２７の内部に固定するのに使用される。
また、筒状体２７は、下端の開口部２５がじょうご型に拡径されているが、これは、つかみ部材３の挟み部３２を内挿しやすくするためである。
【００１８】
筒状体２７は、側面に長さ調節穴２９を複数備えており、この長さ調節穴２９には、グリップ支え軸５１に取着され外方にばね付勢されたボール５８を係止することにより、杖１を所望の長さに調節することができる。図２には、筒状体の側面に一列に形成された長さ調節穴２９が図示されているが、グリップ支え軸５１のボール５８が対向して２つ取り付けられている場合には、そのボール５８の位置に合わせて、さらにもう一列の長さ調節穴２９を形成することができる。
【００１９】
筒状体２７は、持ち運びに便利な軽さと、杖として使用できる強さを実現できる管状部材から形成し、例えば、アルミニウム、チタンなどの金属管状部材や、カーボンファイバやグラスファイバで強化した強化樹脂製の管状部材などが使用できる。特に、アルミニウムの管状部材は、軽量で強度が高く、さらに加工が容易なので、筒状体２７に好適である。
【００２０】
グリップ支え軸５１は、上端にグリップ５２が固定されており、中実の棒体又は中空の筒体から形成されている。特に、軽量化の観点から、グリップ支え軸５１には筒体を用いるのが好ましい。グリップ支え軸５１の外径は、筒状体２７の内部を滑らかにスライドできる程度の隙間があくように寸法を設定するのが好ましく、グリップ５２に荷重したときにグリップ支え軸５１が筒状体２７の中でガタつかず、杖本体２を安定させることができる。
グリップ支え軸５１は、筒状体２７と同様に、軽量化と十分な強度を達成するために、アルミニウム、チタンなどの金属材料や、カーボンファイバやグラスファイバで強化した強化樹脂材料を用いて形成するのが好ましい。
【００２１】
また、グリップ支え軸５１には、直径方向に貫通するようにボールプランジャが固定されている。ボールプランジャは、筒状のプランジャ本体の一端又は両端にボール５８を備え、内蔵されたばねにより、それらのボール５８を外方にばね付勢している。ボール５８は、グリップ支え軸５１の表面から突出状態で保持されているが、筒状体２７の上端から挿入するとグリップ支え軸５１の内方に引っ込み、筒状体２７に形成した長さ調節穴２９と位置が合うとグリップ支え軸５１から突出して長さ調節穴２９に係止する。ボール５８と係合する長さ調節穴２９は、所望の杖１の長さに合わせて自由に選択できるようになっている。係合する長さ調節穴２９は、筒状体２７をしっかり把持した状態で、グリップ支え軸５１を筒状体２７から引っ張り出す又は押し込むことにより、容易に変更することができる。
【００２２】
杖１の長さは、上記のように、グリップ支え軸５１のボール５８と、筒状体２７の任意の長さ調節穴２９と係合することにより調節可能である。さらに、筒状体２７の上端には、グリップ支え軸５１と筒状体２７とを強固に固定するための固定具が取り付けられており、ボール５８と長さ調節穴２９との係合力を補強している。
【００２３】
グリップ支え軸固定具２８は、雌ねじ部材２８ａと雄ねじ部材２８ｂとから構成されている。雌ねじ部材２８ａは、筒状体２７の上端開口に固定されており、内部にテーパ雌ねじが形成されている。そして、雄ねじ部材２８ｂは、内部にグリップ支え軸５１を挿通可能な貫通穴を有し、外面に雌ねじ部材２８ａのテーパ雌ねじと螺合するテーパ雄ねじが形成されている。また、雄ねじ部材２８ｂは、例えば、シャフト先端部に縦方向に伸びる複数の切込み部を形成して、外方から締め付ける応力を受けることにより内部の貫通穴が縮径するようになっている。
【００２４】
グリップ支え軸固定具２８は、雄ねじ部材２８ｂの貫通穴にグリップ支え軸５１が挿通された状態で、雌ねじ部材２８ａに雄ねじ部材２８ｂをねじ込んで使用される。このとき、雄ねじ部材２８ｂは、雌ねじ部材２８ａのテーパ雌ねじによって外方から締め付け応力を受けることになり、貫通穴が縮径して内部に挿通してあるグリップ支え軸５１を締め付けて固定するので、グリップ支え軸５１と杖本体２とが固定される。
また、雌ねじ部材２８ａと雄ねじ部材２８ｂとの螺合をゆるめることにより、グリップ支え軸５１はグリップ支え軸固定具２８から開放されて、杖の長さを再調整することができる。
【００２５】
本実施例の杖１は、グリップ支え軸５１のボール５８と、筒状体２７の長さ調節穴２９により長さを仮決めできるので、杖の長さの調節中に、グリップ支え軸５１と筒状体２７との位置がずれることがないという利点があり、さらに、グリップ支え軸固定具２８によってグリップ支え軸５１と筒状体２７とを強固に固定するので、杖に荷重をかけても、グリップ支え軸５１と筒状体２７とがずれることがないという利点がある。
【００２６】
本考案の杖１に利用できる長さ調節手段は、上述以外にも、（１）ボール５８のばね付勢を強くして、グリップ支え軸５１のボール５８と筒状体２７の長さ調節穴２９のみから構成する、（２）グリップ支え軸固定具２８のみから構成する、（３）その他の公知の長さ調節手段を適用する、などが可能である。
【００２７】
図２に示した例では、杖本体２に、グリップ支え軸５１を所望の長さの状態で固定できるようにして、杖１の長さを調節可能にしている。しかしながら、杖１に、別の長さ調節機能を設けた場合や、長さの調節が不要な場合には、グリップ支え軸５１を備えずに、筒状の杖本体２の上端にグリップを固定することもできる。
【００２８】
グリップ支え軸５１上端に固定したグリップ５２は、手で把握するのに適した形状に成形されており、この図に描いたいわゆるＴ字型グリップの他にも、Ｌ字型グリップ、曲がりグリップなど一般的な杖のグリップの形状を採用することができる。
【００２９】
筒状体２７の側壁には、杖本体２とつかみ部材３との係合に利用されるストッパ受け穴４２が形成されている。ストッパ受け穴４２は、筒状体２７の側壁を貫通しており、また正面から見た形状は、つかみ部材３のストッパ４１の形状に合わせてスリット状、矩形状、円形、楕円形等の形状にすることができる。
【００３０】
図３に示したつかみ部材３は、後端で連結された二又様であり、いわゆるトングのような形態である。つかみ部材３は、一対の挟み部３２と、挟み部３２の後端部に取り付けられた一対の部品３１１，３１２から成る握り部３１と、挟み部３２及び握り部３１がＶ字状に開くように開放方向にばね付勢するばね部材３５（この図では、ねじりばね）とから成る。この二又状の形態は、構造が簡単で、且つ操作も簡単であるという利点がある。
つかみ部材３は、握り部３１を把握して、隙間３９を縮めることにより、一対の挟み部３２の先端３３で物を挟むことができる。把握した握り部３１を離すと、握り部３１及び挟み部３２は、ばね部材３５の付勢力によって元のＶ字状に戻る。
【００３１】
握り部３１は、２つの部品３１１、３１２から成っているが、これらは同一の、又は異なる寸法形状にすることができる。２つの部品３１１、３１２の寸法形状が同一であると、同じ型を使って成形することができるので、コストダウンできる利点がある。これに対して、２つの部品３１１、３１２の寸法形状を、図３のように主軸となる一方（部品３１１）を太く、他方（部品３１２）を細くし、杖にかかる荷重を主として部品３１１で支持すると、杖の安定性が向上する利点がある。
【００３２】
握り部３１は、Ｖ字状に離れた状態から握り込みやすく、且つ握り込んだ状態を維持しやすいように、手になじむ形状に成形するのが好ましい。例えば、握り部３１の隙間３９を閉じた状態で、握り部３１の断面形状が円柱状や楕円形状であると、比較的握りやすく、また、手に馴染むように凹凸部を備えることもできる。
握り部３１は、ステンレス等の金属や、硬質プラスチックから形成することができ、さらに、表面にアヤ目模様を設けたり、ゴム部材を固着したりして、握り部３１を握る手がすべりにくくするのが好ましい。
【００３３】
挟み部３２は、硬質材質から成る棒状又は細長い板状の部材から成形される。特に、断面形状が僅かに湾曲した板状部材を用いると、幅が狭く厚みの薄い板状体であっても曲げ強度が高くでき、軽量で且つ挟み部３２に必要な曲げ強度を有する挟み部材が得られる。挟み部３２は、汚れが付きにくく落としやすい材料から成形するのが好ましく、例えばアルミニウム、ステンレス及びチタン等の金属材料や、ポリエチレンやポリプロピレン等の合成樹脂材料から作成することができる。
【００３４】
さらに、つかみ部材３で挟んだ物が脱落しないように、挟み部３２の先端３３に、波状模様やアヤ目模様等のすべり止め加工を施したり、ゴムキャップ等のすべり止めカバーを取着したりしてもよい。
また、挟み部３２の先端３３にアタッチメントを取り付ければ、靴ベラやフックとして使用することもできる。
【００３５】
つかみ部材３は、杖本体２の内部に嵌まるガイド部３４を備えているのが好ましい。このガイド部３４は、杖本体２の筒状体２７の内面２３に係合する外径に形成されており、杖本体２とつかみ部材３との軸がずれないように安定させて、杖として使用するときのガタつきを防ぐことができる。ガイド部３４は、挟み部３２の後端寄りに備えていると、挟み部３２の内挿の際には杖本体２に引掛からず、且つ挟み部３２が完全に杖本体２の中に挿入されたときには、杖本体２の内壁に嵌るので、好ましい。
【００３６】
挟み部３２の側面には、三角形のストッパ４１が備えられており、杖本体２に形成されたストッパ受け穴４２に係合する。図３に示したストッパ４１は、略直角三角形の側面形状を有しており、杖本体２への挿入時には滑らかに、また、杖本体２から脱離時にはストッパ受け穴４２に引っ掛かる向きに固定されている。すなわち、ストッパ４１は、斜辺が挟み部３２の先端３３方向に、垂直な辺が握り部３１の方向にそれぞれ向けられている。これにより、挿入時には、つかみ部材３を杖本体２に押し込むだけでストッパ４１がストッパ受け穴４２に嵌り、取り外し時には、握り部３１を握らない限り、ストッパ４１とストッパ受け穴４２との係合が外れない。
【００３７】
ストッパ４１は、例示した三角形に限定されず、杖本体２内への挿入を阻害せず、ストッパ受け穴４２からの脱落を防止できる形状であれば、本考案に適用することができる。例えば、ストッパ４１を、三角形の斜辺の代わりに凸状又は凹状の曲線にすることや、底辺を握り部方向に傾斜させる又は凹状の曲線にすることもできる。
【００３８】
図３に示すように、つかみ部材３は、握り部３１の後端３７に石突きを備えるのが好ましい。石突き３８は、杖をついたときに安定した支持が得られるように、端部方向に広がった形状に成形するのが好ましい。石突き３８は、滑りにくい材料、例えばゴム製のものや、プラスチック製で底面にアヤ目のような滑り止めパターンを施したものが好ましく、地面の状態に拘わらず、杖がすべりにくい。なお、石突き３８は消耗品であるので、通常は交換可能にされている。
【００３９】
図３に図示したつかみ部材は、１つの好ましい形態であり、挟み部３２が杖本体２に内挿でき、且つ挟み部３２の先端３３が開くようにばね付勢されているつかみ部材であれば、本考案に適用可能である。一例としては、はさみ様のつかみ部材が挙げられる。これは、２本の挟み部を途中で交差して結合し、２本の挟み部の後端の各々に握り部を設け、挟み部又は握り部の隙間にコイルばねを固定して、挟み部の先端と握り部の後端とが開いた状態になるようにばね付勢したつかみ部材である。このような、はさみ様のつかみ部材も、杖本体２に内挿されているときはその内壁に押圧されて係止し、つかみ部材として使用するときは、握り部を握って挟み部の先端で物を挟むことができる。
また、本実施例のつかみ部材では、ばね部材３５を使用しているが、つかみ部材３をＶ字状に開いた状態にばね付勢できれば、これ以外のばねを利用することができ、例えば、Ｖ字状に加工した板ばねが利用できる。
【００４０】
図４には、つかみ部材３を杖本体２に挿入する途中、又は取り外す途中の状態を描いている。つかみ部材３の挟み部３２は、杖本体２の内部空洞２２に挿入されているが、つかみ部材３のガイド部３４及びストッパ４１は杖本体２の外側に位置している。
つかみ部材３を、杖本体２に内挿するときは、このまま矢印Ｉの方向に押し込むだけでもよいが、握り部３１を矢印Ｆの方向に握って挿入すれば、ストッパ４１とガイド部３４とが引っかからず、挿入が滑らかに行える。本考案の杖では、ストッパ４１が、杖本体２のストッパ受け穴４２がスナップインで嵌ると、つかみ部材３のフランジ３６と杖本体２の下端の縁部２６とが当接するように設計している。よって、杖を地面について荷重したときも、地面から離れたときも、フランジ３６と縁部２６とが接触状態に保たれるので、杖１がガタつきにより音を立てることがない。
【００４１】
逆に、杖本体２に係止されたつかみ部材３を、図４の状態まで外すには、握り部３１を矢印Ｆの方向に握って、ばね付勢されている挟み部３２を杖本体２の内壁から離してストッパ４１ストッパ受け穴４２との嵌合を外した状態で、つかみ部材３を矢印Ｏの方向に引き出せばよい。つかみ部材３を引き出すときに、握り部３１を手で握っており、そのままつかみ部材３を操作することができる。さらには、握り部３１を握って操作した後に、そのままつかみ部材３を、杖本体２に収納することができる。
このように、本考案の杖１は、杖として使用するときの安定性も十分にあり、また、つかみ部材３の着脱や操作が簡単かつ容易であるので、複雑で力の必要な操作が困難な高齢者にも使用やすい杖である。
【図面の簡単な説明】
【００４２】
【図１】本考案に係る杖を示す正面図である。
【図２】本考案に係る杖の杖本体を示す正面図である。
【図３】本考案に係る杖のつかみ部材を示す正面図である。
【図４】本考案に係る杖の着脱操作を示す部分拡大図である。
【符号の説明】
【００４３】
１  杖
２  杖本体
２２  内部空洞
２５  開口部
３  つかみ部材
３１  握り部
３２  挟み部
３４  ガイド部
３５  ばね部材
３８  石突き
４１  ストッパ
４２  ストッパ受け穴
５２  グリップ
【図１】
0003117486.tif 000003
【図２】
0003117486.tif 000004
【図３】
0003117486.tif 000005
【図４】
0003117486.tif 000006